Podtech/llm-jp-corpus-v4-ja_patent huggingface dataset:
【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
第１面に開口部を有する反射層が設けられ、前記第１面と対向する第２面に光吸収層と蒸着材料とが順に設けられている第１の基板と、第２の基板とを用い、
前記第１の基板の前記第２面側と、前記第２の基板の第１面とを近接させた状態で、前記第１の基板の前記第１面側から光の照射を行い、
前記反射層の開口部と重なる位置にある前記光吸収層に前記照射光を吸収させることで、前記蒸着材料を加熱し、
前記蒸着材料を前記第２の基板の前記第１面側に付着させることを特徴とする発光装置の作製方法。
【請求項２】
第１面に開口部を有する反射層が設けられ、前記第１面と対向する第２面に光吸収層と蒸着材料とが順に設けられている第１の基板と、第２の基板とを用い、
前記第１の基板の前記第２面側と、前記第２の基板の第１面とを接した状態で、前記第１の基板の前記第１面側から光の照射を行い、
前記反射層の開口部と重なる位置にある前記光吸収層に前記照射光を吸収させることで、前記蒸着材料を加熱し、
前記蒸着材料を前記第２の基板の前記第１面側に付着させることを特徴とする発光装置の作製方法。
【請求項３】
第１面に開口部を有する反射層が設けられ、前記第１面と対向する第２面に光吸収層と蒸着材料とが順に設けられている第１の基板と、第１面に第１の電極が設けられている第２の基板とを用い、
前記第１の基板の前記第２面側と、前記第２の基板の前記第１面とを近接させた状態で、前記第１の基板の前記第１面側から光の照射を行い、
前記反射層の開口部と重なる位置にある前記光吸収層に前記照射光を吸収させることで、前記蒸着材料を加熱し、
前記蒸着材料を、前記第２の基板の前記第１面に付着させた後、前記第２の基板の第１面に第２の電極を形成することを特徴とする発光装置の作製方法。
【請求項４】
第１面に開口部を有する反射層が設けられ、前記第１面と対向する第２面に光吸収層と蒸着材料とが順に設けられている第１の基板と、第１面に第１の電極が設けられている第２の基板とを用い、
前記第１の基板の前記第２面側と、前記第２の基板の前記第１面とを接した状態で、前記第１の基板の前記第１面側から光の照射を行い、
前記反射層の開口部と重なる位置にある前記光吸収層に前記照射光を吸収させることで、前記蒸着材料を加熱し、
前記蒸着材料を、前記第２の基板の前記第１面に付着させた後、前記第２の基板の第１面に第２の電極を形成することを特徴とする発光装置の作製方法。
【請求項５】
請求項１乃至請求項４のいずれか一項において、
前記光吸収層は、前記反射層の開口部と重なる位置に選択的に形成されていることを特徴とする発光装置の作製方法。
【請求項６】
請求項１乃至請求項５のいずれか一項において、
前記照射光は、赤外光であることを特徴する発光装置の作製方法。
【請求項７】
請求項１乃至請求項６のいずれか一項において、
前記反射層は、前記照射光に対して、反射率が８５％以上であることを特徴とする発光装置の作製方法。
【請求項８】
請求項１乃至請求項７のいずれか一項において、
前記反射層は、アルミニウム、銀、金、白金、銅、アルミニウムを含む合金、または銀を含む合金のいずれか一を含むことを特徴とする発光装置の作製方法。
【請求項９】
請求項１乃至請求項８のいずれか一項において、
前記光吸収層は、前記照射光に対して、反射率が６０％以下であることを特徴とする発光装置の作製方法。
【請求項１０】
請求項１乃至請求項９のいずれか一項において、
前記光吸収層の膜厚は、２００ｎｍ以上６００ｎｍ以下であることを特徴とする発光装置の作製方法。
【請求項１１】
請求項１乃至請求項１０のいずれか一項において、
前記光吸収層は、窒化タンタル、チタン、カーボンのいずれか一を含むことを特徴とする発光装置の作製方法。
【請求項１２】
請求項１乃至請求項１１のいずれか一項において、
湿式法を用いて、前記第１の基板の前記第２面側に前記蒸着材料を付着させることを特徴とする発光装置の作製方法。
【請求項１３】
請求項１乃至請求項１２のいずれか一項において、
前記蒸着材料は、発光材料またはキャリア輸送材料であることを特徴とする発光装置の作製方法。
【手続補正２】
【補正対象書類名】明細書
【補正対象項目名】発明の名称
【補正方法】変更
【補正の内容】
【発明の名称】発光装置の作製方法
【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
第１の銀行券を預け入れると共に、再取得の銀行券が投入される預金装置と、
前記第１の銀行券の一またはそれを超える数の第１の画像と、前記再取得の銀行券の一またはそれを超える数の第２の画像とを同じセンサで抽出するように構成された一の画像抽出装置と、
前記一またはそれを超える数の第１の画像に対してトランザクションログを添付するためのトランザクションログ装置と、
比較結果を得るために、前記再取得の銀行券の前記第２の画像を、前記第１の銀行券の一またはそれを超える数の前記第１の画像と比較するための比較装置と、
前記第１の銀行券の一またはそれを超える数の前記第１の画像について前記再取得の銀行券の前記第２の画像との類似度を計算し、前記第１の銀行券の一またはそれを超える数の前記第１の画像が、前記再取得の銀行券の前記第２の画像に対して所定の類似度の範囲内であると前記比較装置が判定したならば、前記第１の銀行券に添付されているトランザクションログを検索するようにされており、かつ、前記再取得の銀行券を追跡するためのものである検索手段とを有し、
さらに、その第１の画像と第２の画像との類似度のスコア値を計算し、前記第２の画像と各々の前記第１の画像との類似度の前記スコア値に基づいて前記複数の前記第１の画像をソートする手段を前記検索手段は有し、
前記再取得の銀行券は前記第１の銀行券であって、偽造紙幣であると分かったものであり、
それらの装置を電気的に接続した預金自動預け払い機。
【請求項２】
前記第１の画像と前記トランザクションログとを記憶するように構成された記憶装置、又は、
前記第１の画像と前記トランザクションログとを記憶するように構成された外部記憶装置へのネットワーク・リンク
の少なくとも一方を更に含むことを特徴とする請求項１に記載の預金自動預け払い機。
【請求項３】
前記画像抽出装置は更に
第１の姿勢で前記第１の銀行券の表面側の前記第１の画像を抽出し、
第２の姿勢で前記第１の銀行券の表面側の前記第１の画像を抽出し、
前記第１の姿勢で前記第１の銀行券の裏面側の前記第１の画像を抽出し、
前記第２の姿勢で前記第１の銀行券の裏面側の前記第１の画像を抽出する
ように構成されることを特徴とする請求項１乃至2の何れかに記載の預金自動預け払い機。
【請求項４】
前記画像抽出装置は更に
第１の姿勢で前記再取得の銀行券の表面側の前記第２の画像を抽出し、
第２の姿勢で前記再取得の銀行券の表面側の前記第２の画像を抽出し、
前記第１の姿勢で前記再取得の銀行券の裏面側の前記第２の画像を抽出し、
前記第２の姿勢で前記再取得の銀行券の裏面側の前記第２の画像を抽出する
ように構成されることを特徴とする請求項１乃至2の何れかに記載の預金自動預け払い機。
【請求項５】
前記比較装置は、所定の姿勢である前記第２の画像を、これに対応する姿勢の前記第１の画像と比較するように構成されていることを特徴とする請求項4に記載の預金自動預け払い機。
【請求項６】
前記比較装置は更にユークリッド距離を用いて画像の特徴を分析するように構成され、また前記第１の画像と前記第２の画像がゼロに近い所定のユークリッド距離を持っているか判定するように構成されることを含むことを特徴とする請求項１乃至5の何れかに記載の預金自動預け払い機。
【請求項７】
次のステップを有する紙幣の追跡方法。
（a）預金装置が第１の銀行券の預金を受け取り、
（b）前記第１の銀行券から一またはそれを超える数の第１の画像を画像抽出装置の一のセンサで抽出し、
（c）前記一またはそれを超える数の第１の画像にイニシャルトランザクションログを関連付けてトランザクションログ装置に記録し、
（d）再取得の銀行券の一またはそれを超える数の第２の画像を前記センサで抽出し、
（e）比較結果を得るために、比較装置において前記再取得の銀行券の前記第２の画像を、前記第１の銀行券の一またはそれを超える数の前記第１の画像と比較し、
（f）前記第１の銀行券の一またはそれを超える数の前記第１の画像について前記再取得の銀行券の前記第２の画像との類似度を計算し、前記第１の銀行券の一またはそれを超える数の前記第１の画像が、前記再取得の銀行券の前記第２の画像に対して所定の類似度の範囲内であるとの比較結果が出たならば、検索手段により前記第１の銀行券に添付されているトランザクションログを検索し、かつ、前記再取得の銀行券を追跡するものであり、
さらに、その第１の画像と第２の画像との類似度のスコア値を計算し、前記第２の画像と各々の前記第１の画像との類似度の前記スコア値に基づいて前記複数の前記第１の画像をソートするものであり、
前記再取得の銀行券は前記第１の銀行券であって、偽造紙幣であると分かったものであり、
前記装置又は手段は互いに電気的に接続されているものである。
【請求項８】
前記（b）のステップにおいて、さらに次のステップを有することを特徴とする請求項７に記載の紙幣の追跡方法。
第１の姿勢で前記第１の銀行券の表面側の前記第１の画像を抽出し、
第２の姿勢で前記第１の銀行券の表面側の前記第１の画像を抽出し、
前記第１の姿勢で前記第１の銀行券の裏面側の前記第１の画像を抽出し、
前記第２の姿勢で前記第１の銀行券の裏面側の前記第１の画像を抽出する。
【請求項９】
前記（d）のステップにおいて、さらに次のステップを有することを特徴とする請求項７に記載の紙幣の追跡方法。
前記預金装置が前記再取得の銀行券を受け取り、前記再取得の銀行券から前記センサで一またはそれを超える数の第２の画像を抽出する。
【請求項１０】
前記(d)の第２の画像の抽出ステップにおいては、さらに次のステップを有することを特徴とする請求項７に記載の紙幣の追跡方法。
第１の姿勢で前記再取得の銀行券の表面側の前記第２の画像を抽出し、
第２の姿勢で前記再取得の銀行券の表面側の前記第２の画像を抽出し、
前記第１の姿勢で前記再取得の銀行券の裏面側の前記第２の画像を抽出し、
前記第２の姿勢で前記再取得の銀行券の裏面側の前記第２の画像を抽出する。
【請求項１１】
前記クレーム７記載の紙幣の追跡方法において、
前記(e)の比較ステップは、各前記第２の画像のそれぞれの姿勢において複数回だけ、対応する姿勢の前記第１の画像と比較することを含む。
【請求項１２】
前記一またはそれを超える数の前記第１の画像は唯一の銀行券を特定するためにユニークな特徴を有し、前記唯一の特徴には前記第１の銀行券の記番号以外の情報を含むことを特徴とする請求項７乃至１１のいずれか一に記載の紙幣の追跡方法。
【請求項１３】
前記比較装置は更にユークリッド距離を用いて画像の特徴を分析するように構成され、また前記第１の画像と前記第２の画像がゼロに近い所定のユークリッド距離を持っているか判定するように構成されることを含むことを特徴とする請求項７乃至１２のいずれか一に記載の紙幣の追跡方法。
【請求項１４】
その方法の前記各ステップはコンピュータが読むことができるメディアに記憶され、その方法は銀行券の追跡をするための一またはそれを超える数の命令の集合であって、プロセッサがその方法のステップを遂行するためのものであることを特徴とする請求項７乃至１３のいずれか一に記載の紙幣の追跡方法。
【手続補正書】
【提出日】平成23年9月21日(2011.9.21)
【手続補正１】
【補正対象書類名】特許請求の範囲
【補正対象項目名】全文
【補正方法】変更
【補正の内容】
【特許請求の範囲】
【請求項１】
プロセス制御環境においてデータ性状を標準化するための方法であって、
一次キーに機能ブロックを関連付け、
プロセス制御環境に関連付けられている少なくとも一つのデータ性状を前記一次キーと関連付け、
プロセス制御環境に関連付けられている履歴データベースに前記少なくとも一つのデータ性状のインスタンスを格納する、
ことを含む方法。
【請求項２】
前記インスタンスが、開始時間と終了時間との間の一組のデータ性状計測を含む、請求項１に記載の方法。
【請求項３】
前記少なくとも一つのデータ性状の前記インスタンスに前記一次キーを格納することをさらに含む、請求項２に記載の方法。
【請求項４】
少なくとも一つのローカルデータ性状に前記少なくとも一つのデータ性状を関連付けることをさらに含む、請求項１に記載の方法。
【請求項５】
前記少なくとも一つのローカルデータ性状に前記少なくとも一つのデータ性状を関連付けることが、前記少なくとも一つのローカルデータ性状に関連付けられている命名を解消することを含む、請求項４に記載の方法。
【請求項６】
前記格納されたインスタンスが前記一次キーと少なくとも一つの二次キーに関連付けられるように、前記少なくとも一つの二次キーに前記機能ブロックを関連付ける、請求項１に記載の方法。
【請求項７】
前記一次キーを介して前記履歴データベース内の前記インスタンスを検索することをさらに含む、請求項１に記載の方法。
【請求項８】
前記一次キーと前記少なくとも一つの二次キーを介して前記履歴データベース内の前記インスタンスを検索することをさらに含む、請求項７に記載の方法。
【請求項９】
プロセス制御環境においてデータ性状を標準化するための機器であって、
少なくとも一つの機能ブロックを実行するためのプロセス制御システムに関連付けられているコントローラと、
少なくとも一つのデータ性状に関連付けられている値を測定するために前記コントローラに動作可能な状態で接続されている少なくとも一つのフィールド装置と、
一次キーに前記少なくとも一つの機能ブロックを関連付けるためにプロセス制御システムに関連付けられている履歴クライアントと、
を備える機器。
【請求項１０】
前記少なくとも一つの機能ブロックが、少なくとも一つのデータ性状に関連付けられている値を測定するための少なくとも一つの指示を構成し、及び
該少なくとも一つの指示が、前記履歴クライアントによりグローバルな名称へと解消されるローカル名を含んでいる、請求項９に記載の機器。
【請求項１１】
前記少なくとも一つのデータ性状のインスタンスを格納するためのローカル履歴データベースをさらに含む、請求項１０に記載の機器。
【請求項１２】
前記少なくとも一つのデータ性状の前記インスタンスを受信し、且つグローバルな履歴データベースに前記インスタンスを格納するための履歴標準化モジュールをさらに含む、請求項１１に記載の機器。
【請求項１３】
前記履歴標準化モジュールが、前記一次キーを介して前記インスタンスの検索を実現するべく、ユーザインタフェースを実現する、請求項１２に記載の機器。
【手続補正書】
【提出日】平成23年8月31日(2011.8.31)
【手続補正１】
【補正対象書類名】特許請求の範囲
【補正対象項目名】全文
【補正方法】変更
【補正の内容】
【特許請求の範囲】
【請求項１】
装置において通知を管理するコンピュータ実施方法であって、各々が少なくとも１つのサービスを提供する複数のウェブサービスアプリケーションを前記装置が有する、コンピュータ実施方法であって：
複数のアイテムを有する加入データを確立する段階であって、各々のアイテムが、アイテム毎に、少なくとも加入ＩＤフィールド、ＩＰアドレスフィールド及びジョブＩＤのフィールドを有する少なくともテーブルを有する、段階；
前記装置に対して加入要求について注意を払う段階；
各々の加入要求について前記加入ＩＤフィールド及び前記ＩＰアドレスフィールドを埋めることにより、各々のアイテムについてのテーブルのエントリを部分的に終了する段階；
前記装置により処理されたジョブについて注意を払う段階；
各々のジョブについて、各々のジョブＩＤを加入ＩＤと関連付け、前記ジョブＩＤフィールドを埋め、それにより、テーブルのエントリを終了する段階；並びに
特定のジョブに関連するイベントを検出することに応じて、特定のジョブに関連付けられ、検索された登録ＩＤと適合する加入者のみに対してイベント通知を送信するように前記テーブルを用いる段階；
を有するコンピュータ実施方法。
【請求項２】
請求項１に記載のコンピュータ実施方法であって：
特定のイベント通知が前記テーブルにおける何れのジョブＩＤとも関連付けられていないことを判定する段階；及び
イベント通知を送信しない段階；
を更に有する、コンピュータ実施方法。
【請求項３】
多機能周辺機器において通知を管理する装置であって、前記多機能周辺機器は、各々が少なくとも１つのサービスを提供する複数のウェブサービスアプリケーションを有する、装置であって：
複数のアイテムを有する加入データを確立する通知機構であって、各々のアイテムが、少なくとも加入ＩＤフィールド、ＩＰアドレスフィールド及びジョブＩＤのフィールドを有する少なくともテーブルを有する、通知機構；
前記多機能周辺機器に対して加入要求について注意を払い、そして各々の加入要求のために前記加入ＩＤフィールド及び前記ＩＰアドレスフィールドを埋めることにより各々のアイテムについてテーブルエントリを部分的に終了する、モジュール；
前記多機能周辺機器により処理されたジョブについて注意を払い、各々のジョブＩＤを加入ＩＤと関連付け、前記ジョブＩＤフィールドを埋め、それにより、各々のジョブについてテーブルエントリを終了する、モジュール；並びに
特定のジョブに関連するイベントを検出するモジュールであって、前記モジュールは特定のジョブに関連付けられた加入者のみに対してイベント通知を送信するように前記テーブルを用いる、モジュール；
を有する装置。
【請求項４】
多機能周辺機器において通知を管理するコンピュータ実施方法であって、前記多機能周辺機器は、各々が少なくとも１つのサービスを提供する複数のウェブサービスアプリケーションを有する、コンピュータ実施方法であり：
クライアントが、多機能周辺機器により提供される第１イベンティングサービスに加入するように加入要求を送信する段階；
前記加入要求メッセージを受信し、前記メッセージが有効であることを確認し、加入応答メッセージをクライアントに戻すように送信する段階；
動作可能パネルにおいて登録されたスキャン宛先の全てを示す段階；
少なくとも２つのフィールド、即ち、宛先表示名及び加入ＩＤで通知テーブルを埋める段階；
ユーザが、スキャン宛先を選択し、オリジナルを取り込み、開始ボタンを押す段階；
前記第１イベンティングサービスの例を生成し、前記スキャン宛先に基づくテーブルから加入ＩＤを検索する段階；及び
前記検索された加入ＩＤと適合するクライアントのみに対して前記第１イベンティングサービスに対応するイベント通知を送信する段階；
を有するコンピュータ実施方法。
【請求項５】
請求項４に記載のコンピュータ実施方法であって、前記加入要求メッセージは、少なくともスキャン宛先登録情報及び宛先表示名を有する、コンピュータ実施方法。
【請求項６】
多機能周辺機器においてイベント通知を処理するコンピュータ読み出し可能媒体であって、前記多機能周辺機器は、各々が少なくとも１つのサービスを提供する複数のサービスアプリケーションを有し、少なくとも１つの処理器により処理されるとき、命令を担持する前記コンピュータ読み出し可能媒体は：
各々のアイテムが、アイテム毎に、少なくとも加入ＩＤフィールド、ＩＰアドレスフィールド及びジョブＩＤフィールドを有する少なくともテーブルを有するように、複数のアイテムを有する加入データを確立し；
多機能周辺機器に対して加入要求について注意を払い；
各々の加入要求について前記加入ＩＤフィールド及び前記ＩＰアドレスフィールドを埋めることにより、各々のアイテムについてのテーブルのエントリを部分的に終了し；
前記多機能周辺機器により処理されたジョブについて注意を払い；
各々のジョブについて、各々のジョブＩＤを加入ＩＤと関連付け、前記ジョブＩＤフィールドを埋め、それにより、テーブルのエントリを終了し；そして
特定のジョブに関連するイベントを検出することに応じて、特定のジョブに関連付けられた加入者のみに対してイベント通知を送信するように前記テーブルを用いる；
ようにする、コンピュータ読み出し可能媒体。
【請求項７】
請求項６に記載のコンピュータ読み出し可能媒体であって：
特定のイベント通知が前記テーブルにおける何れのジョブＩＤとも関連付けられていないことを判定し；そして
イベント通知を送信しない；
ように更にする、コンピュータ読み出し可能媒体。
【請求項８】
多機能周辺機器において通知を管理するコンピュータ読み出し可能手段であって、前記多機能周辺機器は、各々が少なくとも１つのサービスを提供する複数のウェブサービスアプリケーションを有する、コンピュータ読み出し可能手段であり：
クライアントが、ウェブサービスを可能にする多機能周辺機器を発見し；
前記クライアントを操作するユーザが前記多機能周辺機器をインストールすることを所望するかどうかを判定し；
前記クライアントが、スキャン有効イベントに加入するように加入要求を送信し；
前記加入要求メッセージを受信し、前記メッセージが有効であることを確認し、スキャン宛先トークンを有する加入応答メッセージをクライアントに戻すように送信し；
動作可能パネルにおいて登録されたスキャン宛先の全てを示し；
少なくとも２つのフィールド、即ち、宛先表示名及び加入ＩＤで通知テーブルを埋め；
スキャン有効イベントを生成し、前記スキャン宛先に基づくテーブルから加入ＩＤを検索し；そして
前記検索された加入ＩＤと適合されたクライアントのみに対して前記スキャン有効イベントを送信する；
コンピュータ読み出し可能手段。
【請求項９】
請求項８に記載のコンピュータ読み出し可能手段であって、前記加入要求メッセージは、少なくともスキャン宛先登録情報及び宛先表示名を有する、コンピュータ読み出し可能手段。
【手続補正書】
【提出日】平成23年9月27日(2011.9.27)
【手続補正１】
【補正対象書類名】特許請求の範囲
【補正対象項目名】全文
【補正方法】変更
【補正の内容】
【特許請求の範囲】
【請求項１】
プロセスモデル履歴に格納されている複数のプロセスモデルを有する該プロセスモデル履歴を管理する方法であって、
第１の優先度基準および第２の優先度基準の組み合わせに基づいて、複数のプロセスモデルを体系化し、
各プロセスモデルは、前記第１の優先度基準に関連する値および前記第２の優先度基準に関連する値の組み合わせに応じて表され、
前記体系化されたプロセスモデルのそれぞれと前記体系化されたプロセスモデルのそれぞれに共通の基準点との間の分離度を計算し、
前記基準点は、前記第１の優先度基準に関連する値および前記第２の優先度基準に関連する値を含み、
除去の前に、除去されることになっているプロセスモデルと同一の制御ルーチンに関して同定されるプロセスモデルの総数が、制御ルーチンに関して同定される前記プロセスモデルの総数に関連する閾値を超える場合には、前記分離度に基づいて、前記モデル履歴からプロセスモデルを除去する、
ことを含む方法。
【請求項２】
各プロセスモデルは、プロセス制御システムにおいて制御ルーチンの動作領域に関して同定され、プロセスモデルを除去することは、除去後に、前記除去されたプロセスモデルと同一の動作領域に関して前記同定されたプロセスモデルの総数が、動作領域に関して同定されたプロセスモデルの総数に関連する閾値を超える場合に、前記分離度に基づいて前記プロセスモデルを除去することを含む請求項１に記載の方法。
【請求項３】
前記基準点は、前記第１の優先度基準に関連する最も適当でない値および前記第２の優先度基準に関連する最も適当でない値を含む請求項１に記載の方法。
【請求項４】
前記第１および第２の優先度基準の少なくとも１つは、重み付けされた基準を含む請求項１に記載の方法。
【請求項５】
前記第１および第２の優先度基準の少なくとも１つは、モデル品質の尺度およびモデル年数の尺度からなる群の１つまたは複数を含む請求項１に記載の方法。
【請求項６】
各プロセスモデルは、プロセス制御システムにおいて制御ルーチンの動作領域に関して同定され、前記制御ルーチンの前記動作領域に関して最後に同定された前記プロセスモデルは、前記プロセス履歴から除去されない請求項５に記載の方法。
【請求項７】
前記モデル履歴からプロセスモデルを除去することは、除去時に、動作領域設定および制御ルーチン状態変数に基づいて、前記モデル履歴からプロセスモデルを除去することを含む請求項１に記載の方法。
【請求項８】
前記モデル履歴からプロセスモデルを除去することは、前記第１および第２の優先度基準に関連する前記プロセスモデル値が、前記第１および第２の優先度基準に基づいて、最大閾値を下回る場合に、前記分離度に基づいて、前記モデル履歴からプロセスモデルを除去することを含む請求項１に記載の方法。
【請求項９】
最大閾値は、前記第１および第２の優先度基準に基づく一次関数を含む請求項８に記載の方法。
【請求項１０】
複数のプロセスモデルを格納するメモリから削除のためにプロセスモデルを選択する方法であって、
多次元空間の第１の座標軸として第１の優先度基準を有し、前記多次元空間の第２の座標軸として第２の優先度基準を有する多次元空間を定義し、
前記第１の優先度基準に関連する第１の座標値および前記第２の優先度基準に関連する第２の座標値に基づいて、前記多次元空間内でメモリ内に格納されるプロセスモデルを体系化し、
前記体系化されたプロセスモデルに共通の前記多次元空間において、基準点に関連して各プロセスモデルの位置を計算し、
前記基準点が、前記第１および第２の優先度基準の最も適当でない値に関連する座標値を含み、
前記多次元空間における前記基準点に対する前記プロセスモデルの近接性に基づいて、削除のための１つまたは複数のプロセスモデルを選択する、
方法。
【請求項１１】
前記基準点は、前記多次元空間の起点を含み、
削除のために１つまたは複数のプロセスモデルを選択することは、前記起点からの最小距離に基づいて、削除のための１つまたは複数のプロセスモデルを選択することを含む、
請求項１０に記載の方法。
【請求項１２】
各プロセスモデルは、プロセス制御システムにおいて制御ルーチンの動作領域に関して同定され、
前記制御ルーチンの前記動作領域に関して最後に同定された前記プロセスモデルは、削除のために選択されない、
請求項１０に記載の方法。
【請求項１３】
削除のためにプロセスモデルを選択することは、前記プロセスモデルの前記第１および第２の優先度基準に関連する前記座標値が、前記第１および第２の優先度基準に基づいて最大閾値を下回る場合に、前記多次元空間において前記基準点に対する前記プロセスモデルの近接性に基づいて、削除のためにプロセスモデルを選択することを含む請求項１０に記載の方法。
【請求項１４】
最大閾値は、前記第１および第２の優先度基準に基づく一次関数を含む請求項１３に記載の方法。
【請求項１５】
最大閾値は、前記モデル履歴から除去される前記基準点に対して最も遠い近接性を有するプロセスモデルの前記第１および第２の優先度基準の座標値に基づく動径関数を含む請求項１３に記載の方法。
【請求項１６】
各プロセスモデルは、プロセス制御システムにおける制御ルーチンの動作領域に関して同定され、
削除のために１つまたは複数のプロセスモデルを選択することは、削除前に、前記選択されたプロセスモデルと同一の制御ルーチンに関して同定されたプロセスモデルの総数が、制御ルーチンに関して同定されたプロセスモデルの総数に関連する閾値を超える場合に、および、削除後に、前記選択されたプロセスモデルと同一の制御ルーチンに関して同定されたプロセスモデルの総数が、動作領域に関して同定されたプロセスモデルの総数に関連する閾値を超える場合に、前記多次元空間において前記基準点に対する前記プロセスモデルの近接性に基づいて、削除のための１つまたは複数のプロセスモデルを選択することを含む、
請求項１０に記載の方法。
【手続補正書】
【提出日】平成23年8月23日(2011.8.23)
【手続補正１】
【補正対象書類名】特許請求の範囲
【補正対象項目名】全文
【補正方法】変更
【補正の内容】
【特許請求の範囲】
【請求項１】
コンカレントシステムのための、記号的部分的命令低減を行う方法であって、
条件または述語が当てはまるとき、一群の状態について独立である異なったスレッドからの遷移を含む、保護された独立関係を求めることと、
保護された独立状態が続くとき、冗長なスレッドインターリービングを自動的に取り除くことを許すために、前記の保護された独立関係を用いて部分的命令低減を行うこと、
を有する方法。
【請求項２】
保護された独立関係を求めることが、スレッド遷移の全ての対間の、潜在的なコンフリクトのセットを静的に計算することを含む、請求項1に記載の方法。
【請求項３】
独立したスレッド遷移の対を共通の独立条件とマージすることによって、前記の保護された独立関係の表現の大きさを小さくすることをさらに有する、請求項１に記載の方法。
【請求項４】
従属したスレッド遷移対を符号化することによって、前記の保護された独立関係の表現の大きさを小さくすることをさらに有する、 請求項１に記載の方法。
【請求項５】
コンピュータ上で実行させられると、請求項１に記載のステップを該コンピュータに行わせるコンピュータ読み取り可能なプログラムを含む、コンピュータ読み取り可能な媒体。
【請求項６】
コンカレントシステムのための、記号的部分的命令低減を行う方法であって、
異なったスレッドの遷移間の独立関係を求めることと、
冗長なスレッドインターリービングを自動的に取り除くことを許すために、前記の独立関係に基づいて状態における遷移の有限のウインドウに制約を課すピープホール符号化を用いて部分的命令低減を行うこと、
を有する方法。
【請求項７】
前記独立関係は、保護された独立関係を含む、請求項６に記載の方法。
【請求項８】
前記の独立関係を求めることが、スレッド遷移の全ての対間の潜在的なコンフリクトのセットを静的に計算することを含む、請求項７に記載の方法。
【請求項９】
独立したスレッド遷移の対を共通の独立条件とマージすることによって、前記の保護された独立関係の表現の大きさを小さくすることをさらに有する、請求項７に記載の方法。
【請求項１０】
従属したスレッド遷移対を符号化することによって、前記の保護された独立関係の表現の大きさを小さくすることをさらに有する、請求項７に記載の方法。
【請求項１１】
前記ピープホール符号化は、充足可能性モジュロ理論/プール充足可能性（SMT/SAT）によって行われるサーチの間、冗長なスレッドインターリービングを自動的に取り除くことを許すために、制約を加える、請求項６に記載の方法。
【請求項１２】
前記ピープホール符号化が、トランザクション境界におけるスレッド間のコンテクスト切替を示す遷移に対してのみ加えられる、コンカレントシステムのトランザクション境界を求めることをさらに有する、請求項１１に記載の方法。
【請求項１３】
設計エラーを見つけるために前記コンカレントシステムの、境界のあるモデルチェックに基づくSMT/SATの間、記号的部分的命令低減を行うことをさらに有する、請求項1１に記載の方法。
【請求項１４】
前記ピープホール符号化は、２つのスレッドを有するプログラムのためのスレッドインターリービングの最適な低減を保証する制約を出力する、請求項６に記載の方法。
【請求項１５】
前記ピープホール符号化が、トランザクション境界におけるスレッド間のコンテクスト切替を示す遷移に対してのみ加えられる、コンカレントシステムのトランザクション境界を求めることをさらに有する、請求項６に記載の方法。
【請求項１６】
コンピュータ上で実行させられると、請求項６に記載のステップを該コンピュータに行わせるコンピュータ読み取り可能なプログラムを含む、コンピュータ読み取り可能な媒体。
【誤訳訂正書】
【提出日】平成23年5月9日(2011.5.9)
【誤訳訂正１】
【訂正対象書類名】明細書
【訂正対象項目名】０００９
【訂正方法】変更
【訂正の内容】
【０００９】
本システムは、更に、フレーズが文書内の他のフレーズの存在を予測する能力に基づいて、相互に関連するフレーズを識別するようになっている。より詳細には、２フレーズの実際の共出現率を、その２フレーズの期待される共出現率と関連させる予測指標を用いる。実際の共出現率と期待される共出現率との比としての情報ゲインは、このような予測指標の１つである。予測指標が所定の閾値を超える場合に２フレーズを関連付ける。その場合、第２フレーズは、第１フレーズに対して大きな情報ゲインをもつ。意味的に、関連するフレーズは、「President of the United States」と「White House」等の所与の主題または概念を検討または説明するために普通に用いるものである。所与のフレーズに対して、それぞれの予測指標に基づく関連性または重要性に従って、関連フレーズをランク付けできる。
【誤訳訂正２】
【訂正対象書類名】明細書
【訂正対象項目名】００６６
【訂正方法】変更
【訂正の内容】
【００６６】
文書コレクションを最終的に通過させることにより、見込フレーズリストは、大規模コーパスのフレーズ使用の期待される分布により、比較的短くなる。従って、例えば１０回の通過（例えば、１０，０００，０００文書）の場合、フレーズは、まさに最初の回だけに出現し、その時点で良好フレーズとなる可能性はほとんどない。そのフレーズは使用されるようになったばかりの新規フレーズかもしれず、従って、後続のクロールをしている間に次第に共通となる。この場合、それぞれのカウントは増大し、最終的に良好フレーズとなる閾値を満たすことになる。
【誤訳訂正３】
【訂正対象書類名】明細書
【訂正対象項目名】００６８
【訂正方法】変更
【訂正の内容】
【００６８】
上記のように、共出現マトリックス２１２は、良好フレーズと関係付けられる格納データのｍ・ｍマトリックスである。マトリックスの各行ｊは、良好フレーズｇjを表し、各列ｋは良好フレーズｇkを表す。各良好フレーズｇjについて期待値Ｅ（ｇj）が計算される。期待値Ｅは、ｇjを含むと期待されるコレクション内の文書の割合である。例えば、これは、ｇjを含む文書の数と、クロールされているコレクション内の文書の総数Ｔとの比、Ｐ（ｊ）／Ｔとして計算される。
【誤訳訂正４】
【訂正対象書類名】明細書
【訂正対象項目名】００６９
【訂正方法】変更
【訂正の内容】
【００６９】
上記のように、ｇjを含む文書の数は、ｇjが１文書に出現する毎に更新される。Ｅ（ｇj）の値は、ｇjのカウントが１つ増加する毎に、またはこの第３段階の間に更新できる。
【誤訳訂正５】
【訂正対象書類名】明細書
【訂正対象項目名】００７１
【訂正方法】変更
【訂正の内容】
【００７１】
i）期待値Ｅ（ｇk）を計算する。ｇjおよびｇkの期待される共出現率Ｅ（ｊ、ｋ）は、両者が関連性のないフレーズの場合、Ｅ（ｇj）＊Ｅ（ｇk）である；
【誤訳訂正６】
【訂正対象書類名】明細書
【訂正対象項目名】００７２
【訂正方法】変更
【訂正の内容】
【００７２】
ii）ｇjおよびｇkの実際の共出現率Ａ（ｊ、ｋ）を計算する。これは文書総数Ｔで除した生の共出現カウントＲ（ｊ、ｋ）である；
【誤訳訂正７】
【訂正対象書類名】明細書
【訂正対象項目名】００７３
【訂正方法】変更
【訂正の内容】
【００７３】
iii）実際の共出現率Ａ（ｊ、ｋ）が或る閾値量だけ前記期待される共出現率Ｅ（ｊ、ｋ）を超える場合、ｇjはｇkを予測するといえる。
【誤訳訂正８】
【訂正対象書類名】明細書
【訂正対象項目名】００９０
【訂正方法】変更
【訂正の内容】
【００９０】
最初に、思い出すべきは、共出現マトリックス２１２が良好フレーズｇjを含み、そのそれぞれは、情報ゲイン閾値より大きな情報ゲインをもつ少なくとも１つの他の良好フレーズｇkを予測するということである。次いで、関連フレーズを識別する（４００）ために、良好フレーズの各対（ｇj、ｇk）毎に、その情報ゲインを関連フレーズ閾値、例えば１００、と比較する。すなわち、ｇjおよびｇkは、次の場合、関連フレーズである：
【誤訳訂正９】
【訂正対象書類名】明細書
【訂正対象項目名】００９２
【訂正方法】変更
【訂正の内容】
【００９２】
この高い閾値を用いて、統計的期待率を十分超える良好フレーズの共出現を識別する。統計的に、これはフレーズｇjおよびｇkが、期待される共出現率より１００倍多く共出現する、ということを意味する。例えば、文書や「Monica Lewinsky（モニカ・ルインスキー）」というフレーズを考えてみると、フレーズ「Bill Clinton（ビル・クリントン）」は同一文書に１００倍以上出現する可能性があり、ひいては、フレーズ「Bill Clinton」は、任意のランダムに選択される文書にも出現する可能性がある。言いかえると、出現率が１００：１なので、予測精度は９９．９９９％である。
【誤訳訂正１０】
【訂正対象書類名】明細書
【訂正対象項目名】０１００
【訂正方法】変更
【訂正の内容】
【０１００】
一実施の形態では、クラスタ番号は、フレーズ間の直交関係をも示すクラスタービットベクトルにより決定される。クラスタービットベクトルは、良好フレーズリスト２０８内の良好フレーズ数ｎの長さのビットのシーケンスである。所与の良好フレーズｇjについて、ビット位置はソートしたｇjの関連フレーズＲに対応する。ビットは、Ｒの関連フレーズｇkがフレーズｇjと同一のクラスタにある場合に設定される。より一般的には、これは、ｇjとｇkとの間のいずれかの方向の情報ゲインがある場合に、クラスタービットベクトルの対応するビットが設定される、ということを意味している。
【誤訳訂正１１】
【訂正対象書類名】明細書
【訂正対象項目名】０１０１
【訂正方法】変更
【訂正の内容】
【０１０１】
次いで、クラスタ番号は、結果的に得られるビット列の値となる。この実装は、多くの方向、または一方向の情報ゲインをもつ関連フレーズが同一クラスタに出現するという特性をもつ。
【誤訳訂正１２】
【訂正対象書類名】明細書
【訂正対象項目名】０２２３
【訂正方法】変更
【訂正の内容】
【０２２３】
「blue merle」:: 「Australian Shepherd」, 「red merle」, 「tricolor」, 「aussie」;
【誤訳訂正１３】
【訂正対象書類名】明細書
【訂正対象項目名】０２２４
【訂正方法】変更
【訂正の内容】
【０２２４】
「agility training」:: 「weave poles(編んだ柱) 」, 「teeter（シーソー）」, 「tunnel（トンネル）」, 「obstacle(障害) 」, 「border collie(ボーダーコリー）」。
【手続補正書】
【提出日】平成23年6月8日(2011.6.8)
【手続補正１】
【補正対象書類名】特許請求の範囲
【補正対象項目名】全文
【補正方法】変更
【補正の内容】
【特許請求の範囲】
【請求項１】
ペルチェユニットとその冷却面に接する冷却部とを有し、この冷却部に結露した水を前記冷却部から重力方向に滴下する水供給手段と、
多孔質体から形成され、水供給手段から滴下された水を受け取り、高電圧が印加されることで、この水を先端霧化部で霧化させる水印加電極と、を備え、静電ミストを生成する静電霧化装置であって、
前記水印加電極は、前記冷却部から重力方向に滴下された水を受け取って、この水を前記先端霧化部に搬送する胴部と、この胴部の側面から突出するように前記胴部と一体的に形成される突起である前記先端霧化部とから成り、
前記胴部は、その長辺方向を略水平方向に伸ばすとともに、前記冷却部の下方に所定の距離Ｌ１の空間を隔てて前記冷却部とは非接触で、かつ、前記冷却部を重力方向に投影したときに、前記冷却部の水平方向の幅が、前記胴部の前記冷却部に対向して露出される上面の長辺方向の幅Ｌ３内に収まるように配置されていることを特徴とする静電霧化装置。
【請求項２】
前記水印加電極は、前記先端霧化部が前記胴部の長辺方向側面の途中に形成されていることを特徴とする請求項１に記載の静電霧化装置。
【請求項３】
前記水印加電極は、前記胴部が平板状で略矩形に形成されるとともに、前記先端霧化部が板状の突起であり、先端が線状に尖っていることを特徴とする請求項１または請求項２に記載の静電霧化装置。
【請求項４】
前記水供給手段の冷却部は、前記ペルチェユニットの冷却面に接するベース板と、このベース板から略垂直に立設し略水平方向に積層される複数の冷却フィンとを具備し、前記水供給手段は、この複数の冷却フィンに結露した水を前記複数の冷却フィンの下端から重力方向に滴下するものであって、
前記水印加電極の胴部は、その長辺方向を前記複数の冷却フィンの積層方向に伸ばすとともに、前記複数の冷却フィンの下方に所定の距離Ｌ１の空間を隔てて前記複数の冷却フィンとは非接触で、かつ、前記複数の冷却フィンを重力方向に投影したときに、前記複数の冷却フィンの積層方向の幅Ｌ２が、前記胴部の前記複数の冷却フィンに対向して露出される上面の長辺方向幅Ｌ３内に収まるように配置されていることを特徴とする請求項１及至３のいずれかに記載の静電霧化装置。
【請求項５】
前記水印加電極が、前記胴部から前記先端霧化部に向かって重力方向に所定の角度θ１だけ傾斜して設置されていることを特徴とする請求項１及至４のいずれかに記載の静電霧化装置。
【請求項６】
前記水印加電極が、前記胴部から前記先端霧化部に向かって反重力方向に所定の角度θ２だけ傾斜して設置されていることを特徴とする請求項１及至４のいずれかに記載の静電霧化装置。
【請求項７】
前記冷却部が、前記ペルチェユニット側となる前記複数の冷却フィンの基端から前記複数の冷却フィンの突端に向かって重力方向に所定の角度θ３だけ傾斜して設置されていることを特徴とする請求項４に記載の静電霧化装置。
【請求項８】
前記水印加電極を形成する多孔質体が、三次元網目構造を有する発泡金属であることを特徴とする請求項１乃至７のいずれかに記載の静電霧化装置。
【請求項９】
室内空気を吸い込む吸い込み口と、
前記吸い込み口より吸い込まれた室内空気から調和空気を生成する熱交換器と、
前記熱交換器が生成した調和空気を室内へ吹き出す吹き出し口と、
請求項１及至８のいずれかに記載の静電霧化装置と、を備え、
前記吹き出し口から前記調和空気とともに前記静電霧化装置が生成した静電ミストを室内に放出することを特徴とする空気調和機。
【請求項１０】
前記熱交換器で結露した水を受けるドレンパンを備え、
前記静電霧化装置が、前記熱交換器の風上側で、かつ、前記ドレンパンの上方で、前記水供給手段の前記ペルチェユニットの放熱面に接する放熱部が前記熱交換器と向き合うように設置されていることを特徴とする請求項９に記載の空気調和機。
【手続補正２】
【補正対象書類名】明細書
【補正対象項目名】００１１
【補正方法】変更
【補正の内容】
【００１１】
この発明に係る静電霧化装置は、ペルチェユニットとその冷却面とを有し、この冷却部に結露した水を冷却部から重力方向に滴下する水供給手段と、多孔質体から形成され、水供給手段から滴下された水を受け取り、高電圧が印加されることで、この水を先端霧化部で霧化させる水印加電極と、を備え、静電ミストを生成する静電霧化装置であって、水印加電極は、冷却部から重力方向に滴下された水を受け取って、この水を先端霧化部に搬送する胴部と、この胴部の側面から突出するように胴部と一体的に形成される突起である先端霧化部とから成り、胴部は、その長辺方向を略水平方向に伸ばすとともに、冷却部の下方に所定の距離Ｌ１の空間を隔てて冷却部とは非接触で、かつ、冷却部を重力方向に投影したときに、冷却部の水平方向の幅が、胴部の冷却部に対向して露出される上面の長辺方向の幅Ｌ３内に収まるように配置されているものである。
【手続補正書】
【提出日】平成23年3月4日(2011.3.4)
【手続補正１】
【補正対象書類名】特許請求の範囲
【補正対象項目名】請求項１
【補正方法】変更
【補正の内容】
【請求項１】
患者の体内に挿入される細長い挿入部と、
該挿入部の少なくとも先端部に設けられ、該挿入部を体内の組織に固定する固定手段と、
前記挿入部に設けられ、前記組織または該組織に隣接する隣接組織の画像を取得する観察光学系と、
前記挿入部を挿入した状態で、前記観察光学系と前記組織表面または前記隣接組織表面との距離を調節する観察距離調節手段とを備える内視鏡。
【手続補正２】
【補正対象書類名】明細書
【補正対象項目名】０００５
【補正方法】変更
【補正の内容】
【０００５】
上記目的を達成するために、本発明は以下の手段を提供する。
患者の体内に挿入される細長い挿入部と、該挿入部の少なくとも先端部に設けられ、該挿入部を体内の組織に固定する固定手段と、前記挿入部に設けられ、前記組織の画像を取得する観察光学系と、前記挿入部を挿入した状態で、前記観察光学系と前記組織表面との距離を調節する観察距離調節手段とを備える内視鏡を提供する。
【手続補正書】
【提出日】平成22年11月10日(2010.11.10)
【手続補正１】
【補正対象書類名】明細書
【補正対象項目名】００２５
【補正方法】変更
【補正の内容】
【００２５】
【図１】関連技術の幼児用バブルマスクを示す図である。
【図２】成人の患者上での関連技術のＶＩＳＴＡ（商標）マスクの透視図である。
【図３】ＶＩＳＴＡ（商標）マスクの側面図である。
【図４】ＶＩＳＴＡ（商標）マスクの前面図である。
【図５】ＶＩＳＴＡ（商標）マスクのヘッドギアヨークの側面図である。
【図６】本発明の第１の実施形態によるヘッドギアヨークの平面図である。
【図７】図６の断面７−７に沿った断面図である。
【図８】図６に示すヨークの底面図である。
【図９】本発明の実施形態による側部ヘッドギアストラップの平面図である。
【図１０】本発明の実施形態による中央後部ヘッドギアストラップの平面図である。
【図１１】図１０の中央後部ヘッドギアストラップおよびＶＩＳＴＡ（商標）を比較する平面図である。
【図１１ａ】本発明の実施形態によるヘッドギアクロスオーバを示す図である。
【図１１ｂ】本発明の実施形態によるヘッドギアクロスオーバを示す図である。
【図１１ｃ】本発明の実施形態によるヘッドギアクロスオーバを示す図である。
【図１２】本発明の実施形態（「キッド」クッション）による、フレームに装着されたクッションの平面図である。
【図１３】「キッド」クッションの立面図である。
【図１４】「キッド」（フレームなし）クッションの側部立面図である。
【図１５】「キッド」クッションの底部立面図である。
【図１６】「キッド」クッションの透視図である。
【図１７】他のクッション形状と比較した「キッド」クッションの平面図である。
【図１８】成人用ＶＩＳＴＡ（商標）と比較した寸法の変化を示す「キッド」クッションの下側リムの背面記録図である。
【図１９】成人用ＶＩＳＴＡ（商標）クッションと比較した寸法の変化を示す「キッド」クッションの膜を示す図である。
【図２０】「キッド」クッションの膜の縁部、およびより丸みを帯びた「ミニ」クッションの下側隅部を示す図である。
【図２１】本発明の実施形態によるマスクのシステムの概略プロット図である。
【図２２】本発明による「キッド」クッションの背面図である。
【図２３】ＶＩＳＴＡ（商標）および／またはその他の前の実施形態と比較した本発明による「キッド」クッションの底面図である。
【図２４】本発明による「キッド」クッションの上面図である。
【図２５】本発明による、使用中の「キッド」クッションの側面図である。
【図２６】本発明の実施形態によるクッションのための上部口唇デザインの特徴を示す図である。
【図２７】ＶＩＳＴＡ（商標）、キッドスタスモール、キッドスタエクストラスモールを比較した、本発明による鼻幅対鼻またはブリッジ高さをプロットしたサンプルフィッティングチャートである。
【図２８】「キッド」、キッドスタスモールおよびＶＩＳＴＡ（商標）のクッションを比較した断面図である。
【図２９】「キッド」、キッドスタスモールおよびＶＩＳＴＡ（商標）のクッションを比較した部分平面図である。
【図３０】本発明の実施形態による、ブリッジ中央深さを基にしたサンプルフィッティングチャートである。
【図３１】「キッド」、キッドスタスモールおよびＶＩＳＴＡ（商標）のクッションを比較した部分断面図である。
【図３２】本発明の実施形態によるキッドスタスモールクッションの平面図である。
【図３３】本発明の実施形態によるキッドスタスモールクッションの背面図である。
【図３４】本発明の実施形態によるキッドスタスモールクッションの側面図である。
【図３５】図３２の断面３５−３５に沿った断面図である。
【図３５ａ】寸法および／またはリムに対する膜の相対的な縮尺位置を含む、図３２に示す例示的な断面の図である。
【図３５ｂ】寸法および／またはリムに対する膜の相対的な縮尺位置を含む、図３２に示す例示的な断面の図である。
【図３５ｃ】寸法および／またはリムに対する膜の相対的な縮尺位置を含む、図３２に示す例示的な断面の図である。
【図３５ｄ】寸法および／またはリムに対する膜の相対的な縮尺位置を含む、図３２に示す例示的な断面の図である。
【図３５ｅ】寸法および／またはリムに対する膜の相対的な縮尺位置を含む、図３２に示す例示的な断面の図である。
【図３５ｆ】寸法および／またはリムに対する膜の相対的な縮尺位置を含む、図３２に示す例示的な断面の図である。
【図３５ｇ】寸法および／またはリムに対する膜の相対的な縮尺位置を含む、図３２に示す例示的な断面の図である。
【図３６】図３５からの詳細図である。
【図３７】図３５からの別の詳細図である。
【図３８】本発明の実施形態によるキッドスタエクストラスモールクッションの平面図である。
【図３８ａ】本発明の実施形態によるキッドスタエクストラスモールクッションの様々な断面図である。
【図３８ｂ】本発明の実施形態によるキッドスタエクストラスモールクッションの様々な断面図である。
【図３８ｃ】本発明の実施形態によるキッドスタエクストラスモールクッションの様々な断面図である。
【図３８ｄ】本発明の実施形態によるキッドスタエクストラスモールクッションの様々な断面図である。
【図３８ｅ】本発明の実施形態によるキッドスタエクストラスモールクッションの様々な断面図である。
【図３８ｆ】本発明の実施形態によるキッドスタエクストラスモールクッションの様々な断面図である。
【図３９】本発明の実施形態によるキッドスタエクストラスモールクッションの背面図である。
【図４０】本発明の実施形態によるキッドスタエクストラスモールクッションの側面図である。
【図４１】図３８の断面４１−４１に沿った断面図である。
【図４２】図４１からの詳細図（縮尺２対１）である。
【図４３】本発明の実施形態によるフレームの上面図である。
【図４４】異なる位置での図４３のフレームの図である。
【手続補正書】
【提出日】平成23年6月14日(2011.6.14)
【手続補正１】
【補正対象書類名】明細書
【補正対象項目名】００７３
【補正方法】変更
【補正の内容】
【００７３】
図９（ａ）は成立役、内部当選結果、チャンス演出、メダル投入音の相互関係を示す図である。リプレイ１が成立した場合、単独で内部当選したか重複１で内部当選したかに関わらず、チャンス演出は行わない。そして、ベット数を自動設定したときにメダル投入音を出力する。ベット操作時にはメダル投入音は出力しない。リプレイ２が成立した場合、単独で内部当選したか重複２で内部当選したかに関わらず、チャンス演出を行う。チャンス演出は、本実施形態の場合、Ａ〜Ｃタイプの三種類あり、抽選でいずれかを選択する。そして、ベット操作時にメダル投入音を出力する。ベット数を自動設定したときにはメダル投入音は出力しない。